【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  第１のネットワークに属し、第２のネットワークを介して、第３のネットワークに属する情報受信装置に情報を送信する情報送信装置において、
前記第２のネットワークの帯域を予約する帯域予約手段と、
前記情報受信装置のアドレスを示すマッピングテーブルを生成する生成手段と、
前記生成手段が生成したマッピングテーブルを参照して情報を送信する送信手段と、
画像情報の入力を受け付ける受付手段と、
GUIを生成して、前記受付手段が受け付けた画像情報と合成して出力するGUI生成手段と
を備えることを特徴とする情報送信装置。
【請求項２】  前記生成手段は、前記第１のネットワークのチャンネル番号、前記第２のネットワークのアドレス、および前記第３のネットワークのチャンネル番号を対応させたマッピングテーブルを生成する
ことを特徴とする請求項１に記載の情報送信装置。
【請求項３】  前記第１と第３のネットワークは、IEEE1394シリアルデータバスネットワークである
ことを特徴とする請求項２に記載の情報送信装置。
【請求項４】  第１のネットワークに属し、第２のネットワークを介して、第３のネットワークに属する情報受信装置に情報を送信する情報送信装置の情報送信方法において、
前記第２のネットワークの帯域を予約する帯域予約ステップと、
前記情報受信装置のアドレスを示すマッピングテーブルを生成する生成ステップと、
前記生成ステップで生成したマッピングテーブルを参照して情報を送信する送信ステップと、
画像情報の入力を受け付ける受付ステップと、
GUIを生成して、前記受付ステップが受け付けた画像情報と合成して出力するGUI生成ステップと
を含むことを特徴とする情報送信方法。
【請求項５】  第１のネットワークに属し、第２のネットワークを介して、第３のネットワークに属する情報受信装置に情報を送信する処理を行うプログラムであって、
前記第２のネットワークの帯域を予約する帯域予約ステップと、
前記情報受信装置のアドレスを示すマッピングテーブルを生成する生成ステップと、
前記生成ステップで生成したマッピングテーブルを参照して情報を送信する送信ステップと、
画像情報の入力を受け付ける受付ステップと、
GUIを生成して、前記受付ステップが受け付けた画像情報と合成して出力するGUI生成ステップと
を含むことを特徴とするコンピュータが実行可能なプログラムが記録されている記録媒体。
【請求項６】  第１のネットワークに属し、第２のネットワークを介して、第３のネットワークに属する情報送信装置から送信された情報を受信する情報受信装置において、
前記情報送信装置のアドレスを示すマッピングテーブルを生成する生成手段と、
前記生成手段が生成したマッピングテーブルを参照して情報を転送する転送手段と、
画像情報の入力を受け付ける受付手段と、
GUIを生成して、前記受付手段が受け付けた画像情報と合成して出力するGUI生成手段と
を備えることを特徴とする情報受信装置。
【請求項７】  前記生成手段は、前記第１のネットワークのチャンネル番号、前記第２のネットワークのアドレス、および前記第３のネットワークのポート番号と対応させたマッピングテーブルを生成する
ことを特徴とする請求項６に記載の情報受信装置。
【請求項８】  前記第１と第３のネットワークは、IEEE1394シリアルデータバスネットワークである
ことを特徴とする請求項７に記載の情報受信装置。
【請求項９】  複数のネットワークを介して情報を送信、または受信する情報送受信装置において、
前記ネットワークの帯域を予約する予約手段と、
通信先のアドレスを示すマッピングテーブルを生成する生成手段と、
前記生成手段が生成したマッピングテーブルを参照して情報を通信する通信手段と、
画像情報の入力を受け付ける受付手段と、
GUIを生成して、前記受付手段が受け付けた画像情報と合成して出力するGUI生成手段と
を備えることを特徴とする情報送受信装置。
【請求項１０】  複数のネットワークを介して情報を送信、または受信する情報送受信装置の情報送受信方法において、
前記ネットワークの帯域を予約する予約ステップと、
通信先のアドレスを示すマッピングテーブルを生成する生成ステップと、
前記生成ステップで生成したマッピングテーブルを参照して情報を通信する通信ステップと、
画像情報の入力を受け付ける受付ステップと、
GUIを生成して、前記受付ステップで受け付けた画像情報と合成して出力するGUI生成ステップと
を含むことを特徴とする情報送受信方法。
【請求項１１】  複数のネットワークを介して情報を送信、または受信する情報送受信装置に、
前記ネットワークの帯域を予約する予約ステップと、
通信先のアドレスを示すマッピングテーブルを生成する生成ステップと、
前記生成ステップで生成したマッピングテーブルを参照して情報を通信する通信ステップと、
画像情報の入力を受け付ける受付ステップと、
GUIを生成して、前記受付ステップで受け付けた画像情報と合成して出力するGUI生成ステップと
を含むことを特徴とするコンピュータが実行可能なプログラムが記録されている記録媒体。
【請求項１２】    第１のクロックに基づいて動作する第１のネットワークに属する情報送信装置から送信されたパケットを受信する、前記第１のクロックと非同期の第２のクロックに基づいて動作する第２のネットワークに属する情報受信装置において、
送信されてきた前記パケットを受信する受信手段と、
前記受信手段が受信した前記パケットを記憶する記憶手段と、
前記受信手段により受信された前記パケットに基づいて、前記第１のネットワークにおける第１のクロックと、前記第２のネットワークにおける第２のクロックのずれを検出する検出手段と、
前記検出手段により検出されたずれに対応して、前記パケットに含まれる時刻情報を変更する変更手段と、
前記変更手段により変更された時刻情報に対応して、前記受信手段により受信された前記パケットを出力する出力手段とを備え、
前記検出手段は、前記記憶手段に記憶された前記パケットの量に基づいて、前記第１のクロックと第２のクロックのずれを検出する
ことを特徴とする情報受信装置。
【請求項１３】  前記記憶手段は、FIFOを含む
ことを特徴とする請求項１２に記載の情報受信装置。
【請求項１４】  前記検出手段の検出結果に対応して、空のパケットを前記記憶手段に記憶させる記憶制御手段を
さらに備えることを特徴とする請求項１２に記載の情報受信装置。
【請求項１５】    第１のクロックに基づいて動作する第１のネットワークに属する情報送信装置から送信されたパケットを受信する、前記第１のクロックと非同期の第２のクロックに基づいて動作する第２のネットワークに属する情報受信装置の情報受信方法において、
送信されてきた前記パケットを受信する受信ステップと、
前記受信ステップの処理により受信された前記パケットを記憶手段に記憶する記憶ステップと、
前記受信ステップの処理により受信された前記パケットに基づいて、前記第１のネットワークにおける第１のクロックと、前記第２のネットワークにおける第２のクロックのずれを検出する検出ステップと、
前記検出ステップの処理により検出されたずれに対応して、前記パケットに含まれる時刻情報を変更する変更ステップと、
前記変更ステップの処理により変更された時刻情報に対応して、前記受信ステップにより受信された前記パケットを出力する出力ステップとを含み、
前記検出ステップは、前記記憶手段に記憶された前記パケットの量に基づいて、前記第１のクロックと第２のクロックのずれを検出する
ことを特徴とする情報受信方法。
【請求項１６】    第１のクロックに基づいて動作する第１のネットワークに属する情報送信装置から送信されたパケットを受信する、前記第１のクロックと非同期の第２のクロックに基づいて動作する第２のネットワークの処理を実行するプログラムであって、
送信されてきた前記パケットを受信する受信ステップと、
前記受信ステップの処理により受信された前記パケットを記憶手段に記憶する記憶ステップと、
前記受信ステップの処理により受信された前記パケットに基づいて、前記第１のネットワークにおける第１のクロックと、前記第２のネットワークにおける第２のクロックのずれを検出する検出ステップと、
前記検出ステップの処理により検出されたずれに対応して、前記パケットに含まれる時刻情報を変更する変更ステップと、
前記変更ステップの処理により変更された時刻情報に対応して、前記受信ステップにより受信された前記パケットを出力する出力ステップとを含み、
前記検出ステップは、前記記憶手段に記憶された前記パケットの量に基づいて、前記第１のクロックと第２のクロックのずれを検出する
ことを特徴とするコンピュータが実行可能なプログラムが記録されている記録媒体。
【手続補正２】
【補正対象書類名】明細書
【補正対象項目名】０００６
【補正方法】変更
【補正の内容】
【０００６】
【課題を解決するための手段】
請求項１に記載の情報送信装置は、第２のネットワークの帯域を予約する帯域予約手段と、情報受信装置のアドレスを示すマッピングテーブルを生成する生成手段と、生成手段が生成したマッピングテーブルを参照して情報を送信する送信手段と、画像情報の入力を受け付ける受付手段と、GUIを生成して、受付手段が受け付けた画像情報と合成して出力するGUI生成手段とを備えることを特徴とする。
【手続補正３】
【補正対象書類名】明細書
【補正対象項目名】０００７
【補正方法】変更
【補正の内容】
【０００７】
請求項４に記載の情報送信方法は、第２のネットワークの帯域を予約する帯域予約ステップと、情報受信装置のアドレスを示すマッピングテーブルを生成する生成ステップと、生成ステップで生成したマッピングテーブルを参照して情報を送信する送信ステップと、画像情報の入力を受け付ける受付ステップと、GUIを生成して、受付ステップが受け付けた画像情報と合成して出力するGUI生成ステップとを含むことを特徴とする。
【手続補正４】
【補正対象書類名】明細書
【補正対象項目名】０００８
【補正方法】変更
【補正の内容】
【０００８】
請求項５に記載の記録媒体のプログラムは、第２のネットワークの帯域を予約する帯域予約ステップと、情報受信装置のアドレスを示すマッピングテーブルを生成する生成ステップと、生成ステップで生成したマッピングテーブルを参照して情報を送信する送信ステップと、画像情報の入力を受け付ける受付ステップと、GUIを生成して、受付ステップが受け付けた画像情報と合成して出力するGUI生成ステップと含むことを特徴とする。
【手続補正５】
【補正対象書類名】明細書
【補正対象項目名】０００９
【補正方法】変更
【補正の内容】
【０００９】
請求項６に記載の情報受信装置は、情報送信装置のアドレスを示すマッピングテーブルを生成する生成手段と、生成手段が生成したマッピングテーブルを参照して情報を転送する転送手段と、画像情報の入力を受け付ける受付手段と、GUIを生成して、受付手段が受け付けた画像情報と合成して出力するGUI生成手段とを備えることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項９に記載の情報送受信装置は、ネットワークの帯域を予約する予約手段と、通信先のアドレスを示すマッピングテーブルを生成する生成手段と、生成手段が生成したマッピングテーブルを参照して情報を通信する通信手段と、画像情報の入力を受け付ける受付手段と、GUIを生成して、受付手段が受け付けた画像情報と合成して出力するGUI生成手段とを備えることを特徴とする。
【手続補正９】
【補正対象書類名】明細書
【補正対象項目名】００１３
【補正方法】変更
【補正の内容】
【００１３】
請求項１０に記載の情報送受信方法は、ネットワークの帯域を予約する予約ステップと、通信先のアドレスを示すマッピングテーブルを生成する生成ステップと、生成ステップで生成したマッピングテーブルを参照して情報を通信する通信ステップと、画像情報の入力を受け付ける受付ステップと、GUIを生成して、受付ステップで受け付けた画像情報と合成して出力するGUI生成ステップとを含むことを特徴とする。
【手続補正１０】
【補正対象書類名】明細書
【補正対象項目名】００１４
【補正方法】変更
【補正の内容】
【００１４】
請求項１１に記載の記録媒体のプログラムは、ネットワークの帯域を予約する予約ステップと、通信先のアドレスを示すマッピングテーブルを生成する生成ステップと、前記生成ステップで生成したマッピングテーブルを参照して情報を通信する通信ステップと、画像情報の入力を受け付ける受付ステップと、GUIを生成して、前記受付ステップで受け付けた画像情報と合成して出力するGUI生成ステップとを含むことを特徴とする。
【手続補正１１】
【補正対象書類名】明細書
【補正対象項目名】００１５
【補正方法】変更
【補正の内容】
【００１５】
請求項１２に記載の情報受信装置は、送信されてきたパケットを受信する受信手段と、受信手段が受信したパケットを記憶する記憶手段と、受信手段により受信されたパケットに基づいて、前記第１のネットワークにおける第１のクロックと、第２のネットワークにおける第２のクロックのずれを検出する検出手段と、検出手段により検出されたずれに対応して、パケットに含まれる時刻情報を変更する変更手段と、変更手段により変更された時刻情報に対応して、受信手段により受信されたパケットを出力する出力手段とを備え、検出手段は、記憶手段に記憶されたパケットの量に基づいて、第１のクロックと第２のクロックのずれを検出することを特徴とする。
【手続補正１２】
【補正対象書類名】明細書
【補正対象項目名】００１６
【補正方法】変更
【補正の内容】
【００１６】
請求項１５に記載の情報受信方法は、送信されてきたパケットを受信する受信ステップと、受信ステップの処理により受信されたパケットを記憶手段に記憶する記憶ステップと、受信ステップの処理により受信されたパケットに基づいて、第１のネットワークにおける第１のクロックと、第２のネットワークにおける第２のクロックのずれを検出する検出ステップと、検出ステップの処理により検出されたずれに対応して、パケットに含まれる時刻情報を変更する変更ステップと、変更ステップの処理により変更された時刻情報に対応して、受信ステップにより受信されたパケットを出力する出力ステップとを含み、検出ステップは、記憶手段に記憶されたパケットの量に基づいて、第１のクロックと第２のクロックのずれを検出することを特徴とする。
【手続補正１３】
【補正対象書類名】明細書
【補正対象項目名】００１７
【補正方法】変更
【補正の内容】
【００１７】
請求項１６に記載の記録媒体のプログラムは、送信されてきたパケットを受信する受信ステップと、受信ステップの処理により受信されたパケットを記憶手段に記憶する記憶ステップと、受信ステップの処理により受信されたパケットに基づいて、第１のネットワークにおける第１のクロックと、第２のネットワークにおける第２のクロックのずれを検出する検出ステップと、検出ステップの処理により検出されたずれに対応して、パケットに含まれる時刻情報を変更する変更ステップと、変更ステップの処理により変更された時刻情報に対応して、受信ステップにより受信されたパケットを出力する出力ステップとを含み、検出ステップは、記憶手段に記憶されたパケットの量に基づいて、第１のクロックと第２のクロックのずれを検出することを特徴とする。
【手続補正１４】
【補正対象書類名】明細書
【補正対象項目名】００１８
【補正方法】変更
【補正の内容】
【００１８】
請求項１に記載の情報送信装置、請求項４に記載の情報送信方法、および請求項５に記載の記録媒体においては、第２のネットワークの帯域が予約され、情報受信装置のアドレスを示すマッピングテーブルが生成されて、生成されたマッピングテーブルが参照されて情報が送信され、画像情報の入力が受け付けられ、GUIが生成されて、受け付けられた画像情報と合成されて出力される。
【手続補正１５】
【補正対象書類名】明細書
【補正対象項目名】００１９
【補正方法】変更
【補正の内容】
【００１９】
請求項６に記載の情報受信装置においては、情報送信装置のアドレスを示すマッピングテーブルが生成され、生成されたマッピングテーブルが参照されて情報が転送され、画像情報の入力が受け付けられ、GUIが生成されて、受け付けられた画像情報と合成されて出力される。
【手続補正１６】
【補正対象書類名】明細書
【補正対象項目名】００２０
【補正方法】変更
【補正の内容】
【００２０】
請求項９に記載の情報送受信装置、請求項１０に記載の情報送受信方法、および請求項１１に記載の記録媒体においては、ネットワークの帯域が予約され、通信先のアドレスを示すマッピングテーブルが生成され、生成されたマッピングテーブルが参照されて情報が通信される。また、画像情報の入力が受け付けられ、GUIが生成されて、受け付けられた画像情報と合成されて出力される。
【手続補正１７】
【補正対象書類名】明細書
【補正対象項目名】００２１
【補正方法】変更
【補正の内容】
【００２１】
請求項１２に記載の情報受信装置、請求項１５の情報受信方法、および請求項１６に記載の記録媒体においては、受信されたパケットが記憶され、受信されたパケットから、第１のネットワークにおける第１のクロックと、第２のネットワークにおける第２のクロックのずれが検出され、検出されたずれに対応して、パケットに含まれる時刻情報が変更される。そして、変更された時刻情報に対応して、受信されたパケットが出力される。第１のクロックと第２のクロックのずれは、記憶されたパケットの量に基づいて検出される。
【手続補正１８】
【補正対象書類名】明細書
【補正対象項目名】００９３
【補正方法】変更
【補正の内容】
【００９３】
また、IEEE1394バス５−１−２上で動作するDVカメラ８−１で撮像した画像データを第１のネットワーク１を介して、IEEE1394バス５−２−１上で動作するDVCR７−２に転送する場合（IEEE1394バス５−２−２上で動作するDVカメラ８−２で撮像した画像を、第１のネットワーク１を介してIEEE1394バス５−１−１で動作するDVCR７−１に転送する場合も同様）、IEEE1394バス５−１−２とIEEE1394バス５−２−１のクロックのズレ（またはEEE1394バス５−２−２とIEEE1394バス５−１−１のクロックのズレ）が蓄積し、バッファ６１がオーバーフローしたり、アンダーフローしてしまう恐れがある。そこでこのようなオーバーフローまたはアンダーフローを防止する方法について、以下に説明する。
【手続補正１９】
【補正対象書類名】明細書
【補正対象項目名】０１１２
【補正方法】変更
【補正の内容】
【０１１２】
ステップＳ９３において、タイムスタンプの値（タイミング）が、カウンタの値VCtに定数Ｄを加算した値より大きくなったと判定された場合、ステップＳ９５に進み、CPU４１はパケットをアイソクロナス出力キュー６６に入れ、カウンタの値VCtに１サイクルの長さを表す値Ｃを加算し、さらにそのときの送信データ量を送信データ量の累積値Ｎに加算する。次にステップＳ９６に進み、CPU４１は送信がスタート済みであるか否かを判定し、まだスタートしていない場合にはステップＳ９７に進み、アイソクロナス出力キュー６６に充分なパケットが保持されているか否かを判定する。アイソクロナス出力キュー６６に充分なパケットが既に保持されている場合には、ステップＳ９８において、CPU４１は送信をスタートさせる。アイソクロナス出力キュー６６にまだ充分なパケットが保持されていない場合には、ステップＳ９８の送信スタート処理はスキップされる。
【手続補正２０】
【補正対象書類名】明細書
【補正対象項目名】０１３０
【補正方法】変更
【補正の内容】
【０１３０】
【発明の効果】
以上のように、請求項１に記載の情報送信装置、請求項４に記載の情報送信方法、および請求項５に記載の記録媒体によれば、予約された第２のネットワークの帯域に、マッピングテーブルを参照して、情報を送信させるようにしたので、情報が送信途中で欠落することを抑止するとともに、ATM技術を活用した高速な情報送信が可能となる。
【手続補正２１】
【補正対象書類名】明細書
【補正対象項目名】０１３１
【補正方法】変更
【補正の内容】
【０１３１】
また、請求項６に記載の情報受信装置によれば、マッピングテーブルを参照して情報を転送するようにしたので、情報が受信途中で欠落することを抑止することが可能となる。
【手続補正２２】
【補正対象書類名】明細書
【補正対象項目名】０１３２
【補正方法】変更
【補正の内容】
【０１３２】
請求項９に記載の情報送受信装置、請求項１０に記載の情報送受信方法、および請求項１１に記載の記録媒体によれば、予約されたネットワークの帯域に、マッピングテーブルを参照して情報を通信するようにしたので、情報が通信途中で欠落することを抑止するとともに、ATM技術を活用した高速な情報通信が可能となる。
【手続補正２３】
【補正対象書類名】明細書
【補正対象項目名】０１３３
【補正方法】変更
【補正の内容】
【０１３３】
請求項１２に記載の情報受信装置、請求項１５に記載の情報受信方法、および請求項１６に記載の記録媒体によれば、第１のクロックと第２のクロックのズレに対応して、パケットに含まれる時刻情報を変更するようにしたので、非同期のクロックが用いられている異なるネットワーク間において、リアルタイムでデータを受信することが可能となる。